(57)【要約】【課題】携帯端末の位置情報等をもとに、空調機のオン／オフを自動で切り替える空調機制御装置による快適性を維持しつつ、空調機を不必要にオンし続けて消費電力を増加させてしまうことを防止することが可能な空調機制御装置を得ること。【解決手段】携帯端末２０と空調機５０の距離がしきい値以下になると空調機５０をオンさせ、距離の減少量も把握し、距離の減少量がしきい値未満である場合には、携帯端末２０は接近していないと判断して空調機５０をオフさせる構成の空調機制御装置４０とする。【選択図】図２
2014173818.tif 000002
【特許請求の範囲】
【請求項１】
携帯端末の現在位置を取得する現在位置受信部と、
空調機の存在位置を記憶する空調機存在位置記憶部と、
前記携帯端末の現在位置と前記空調機の存在位置から距離を算出する距離算出部と、
前記距離算出部が算出した距離及び該距離の減少量に対応した前記空調機の処理内容が記憶されている空調機制御内容記憶部と、
前記空調機制御内容記憶部を参照して前記空調機に制御信号を送信する制御部と、を備え、
前記制御部は、
前記携帯端末と前記空調機の前記距離がしきい値以下になると前記空調機をオンさせ、
前記距離の減少量を把握し、
前記距離の減少量がしきい値未満である場合には、前記携帯端末は接近していないと判断して前記空調機をオフさせることを特徴とする空調機制御装置。
【請求項２】
携帯端末の現在位置を取得する現在位置受信部と、
空調機の存在位置を記憶する空調機存在位置記憶部と、
前記携帯端末の現在位置と前記空調機の存在位置から距離を算出する距離算出部と、
前記携帯端末の行動パターンを学習して記憶する行動パターン記憶部と、
前記行動パターン記憶部を参照して前記空調機に制御信号を送信する制御部と、を備え、
前記行動パターンは時刻と距離の平面において囲まれた領域であり、
前記制御部は、
前記携帯端末と前記空調機の距離が、前記行動パターン内である場合には前記空調機をオフさせ続け、
前記携帯端末と前記空調機の距離が、前記行動パターンを外れてしきい値以下になると、前記空調機をオンさせることを特徴とする空調機制御装置。
【請求項３】
携帯端末の現在位置を取得する現在位置受信部と、
空調機の存在位置を記憶する空調機存在位置記憶部と、
前記携帯端末の現在位置と前記空調機の存在位置から距離を算出する距離算出部と、
前記距離算出部が算出した距離及び該距離の減少量に対応した前記空調機の処理内容が記憶されている空調機制御内容記憶部と、
前記携帯端末の行動パターンを学習して記憶する行動パターン記憶部と、
前記空調機制御内容記憶部と前記行動パターン記憶部を参照して前記空調機に制御信号を送信する制御部と、を備え、
前記行動パターンは時刻と距離の平面において囲まれた領域であり、
前記制御部は、
前記携帯端末が前記行動パターン内に存在する場合には前記空調機をオフさせ続け、
前記携帯端末が前記行動パターン外となった場合に、
前記携帯端末と前記空調機の前記距離がしきい値以下になると前記空調機をオンさせ、
前記距離の減少量を把握し、
前記距離の減少量がしきい値未満である場合には、前記携帯端末は接近していないと判断して前記空調機をオフさせることを特徴とする空調機制御装置。
【請求項４】
携帯端末と空調機の距離及び該距離の減少量に応じて該空調機を制御する空調機の制御方法であって、
前記携帯端末と前記空調機の距離がしきい値以下になると前記空調機をオンさせるステップと、
前記携帯端末と前記空調機の前記距離が前記しきい値以下である場合に前記距離の減少量を把握するステップと、
前記携帯端末と前記空調機の前記距離の単位時間あたりの減少量がしきい値未満である場合には、前記携帯端末は接近していないと判断して前記空調機をオフさせるステップとを含むことを特徴とする空調機の制御方法。
【請求項５】
携帯端末と空調機の距離及び該距離の減少量に応じて該空調機を制御する空調機の制御プログラムであって、
前記携帯端末と前記空調機の距離がしきい値以下になると前記空調機をオンさせるステップと、
前記携帯端末と前記空調機の前記距離が前記しきい値未満である場合に前記距離の減少量を把握するステップと、
前記携帯端末と前記空調機の前記距離の単位時間あたりの減少量がしきい値未満である場合には、前記携帯端末は接近していないと判断して前記空調機をオフさせるステップとをコンピュータに実行させることを特徴とする空調機の制御プログラム。
【請求項６】
請求項５に記載の空調機の制御プログラムが記憶されていることを特徴とする携帯端末。
【発明の詳細な説明】
【技術分野】
【０００１】
本発明は、空調機制御装置、空調機の制御方法、空調機の制御プログラム及び携帯端末に関する。
【背景技術】
【０００２】
従来から、携帯端末の位置情報等をもとに、空調機を自動でオン／オフする空調機制御装置及び空調制御システムが知られている。例えば、特許文献１には、「機器利用者から機器の起動／停止の指示を行わなくても、機器利用者の所在位置に応じて自動的に機器の制御を木目細かに行うこと」を目的として、「携帯端末２の位置情報収集手段２ａにより電子機器の機器利用者１の現在位置情報をＧＰＳ信号より収集し、この収集された機器利用者１の位置情報を携帯端末２の位置情報送信手段２ｂにより所定の送信先の家庭４内に配置された機器制御手段５に送信し、この送信された機器利用者１の位置情報を機器制御手段５で受信して、この受信された機器利用者１の位置情報に基づいて家庭４内に配置された電子機器を機器制御手段５により制御するように構成する」技術が開示されている。
【先行技術文献】
【特許文献】
【０００３】
【特許文献１】特開２００１−２３１０８３号公報
【発明の概要】
【発明が解決しようとする課題】
【０００４】
しかしながら、上記従来の技術によれば、機器利用者が所有する携帯端末と、基準位置（上記においては家庭４）との距離が一時的に縮まったにも関わらず、長時間にわたって制御対象機器が利用されない場合には、制御対象機器が利用されないにも関わらず制御対象機器をオンし続けてしまい、電力を浪費してしまう、という問題があった。
【０００５】
本発明は、上記に鑑みてなされたものであって、携帯端末の位置情報等をもとに、空調機のオン／オフを自動で切り替える空調機制御装置による快適性を維持しつつ、空調機を不必要にオンし続けて消費電力を増加させてしまうことを防止することを目的とする。
【課題を解決するための手段】
【０００６】
上述した課題を解決し、目的を達成するために、本発明は、携帯端末の現在位置を取得する現在位置受信部と、空調機の存在位置を記憶する空調機存在位置記憶部と、前記携帯端末の現在位置と前記空調機の存在位置から距離を算出する距離算出部と、前記距離算出部が算出した距離及び該距離の減少量に対応した前記空調機の処理内容が記憶されている空調機制御内容記憶部と、前記空調機制御内容記憶部を参照して前記空調機に制御信号を送信する制御部と、を備え、前記制御部は、前記携帯端末と前記空調機の前記距離がしきい値以下になると前記空調機をオンさせ、前記距離の減少量を把握し、前記距離の減少量がしきい値未満である場合には、前記携帯端末は接近していないと判断して前記空調機をオフさせることを特徴とする空調機制御装置である。
【発明の効果】
【０００７】
本発明によれば、携帯端末の位置情報等をもとに、空調機のオン／オフを自動で切り替える空調機制御装置による快適性を維持しつつ、空調機を不必要にオンし続けて消費電力を増加させてしまうことを防止することができるという効果を奏する。
【図面の簡単な説明】
【０００８】
【図１】図１は、実施の形態１に係る空調制御装置を含む空調制御システムの構成を示す図である。
【図２】図２は、実施の形態１に係る空調制御装置を含む空調制御システムの詳細な構成を示すブロック図である。
【図３】図３は、実施の形態１に係る空調制御装置を含む空調制御システムの動作例における時刻と距離の関係を示す図である。
【図４】図４は、実施の形態１に係る空調機の動作を示す状態遷移図である。
【図５】図５は、実施の形態２に係る空調制御装置を含む空調制御システムが備える空調機制御装置を示すブロック図である。
【図６】図６は、実施の形態２に係る携帯端末の利用者の行動パターンの例を示すイメージ図である。
【図７】図７は、実施の形態２に係る空調制御装置を含む空調制御システムの動作例における時刻と距離の関係を示す図である。
【発明を実施するための形態】
【０００９】
以下に、本発明に係る空調機制御装置の実施の形態を図面に基づいて詳細に説明する。なお、この実施の形態によりこの発明が限定されるものではない。
【００１０】
実施の形態１． 
図１は、本発明に係る空調制御装置を含む空調制御システムの実施の形態１の構成を示す図である。図１に示す空調制御装置を含む空調制御システムは、ＧＰＳ（Ｇｌｏｂａｌ  Ｐｏｓｉｔｉｏｎｉｎｇ  Ｓｙｓｔｅｍ）衛星１０、ＧＰＳ機能を有する携帯端末２０、通信回路網３０、空調機制御装置４０、空調機５０及びリモコン６０によって構成されている。
【００１１】
図１に示す携帯端末２０は位置（Ｘ１，Ｙ１，Ｚ１）に存在し、空調機５０は位置（Ｘ２，Ｙ２，Ｚ２）に存在する。携帯端末２０は利用者に所有されているため、携帯端末２０の位置（Ｘ１，Ｙ１，Ｚ１）は、利用者の位置である。また、空調機５０は位置（Ｘ２，Ｙ２，Ｚ２）に固定して設置されており、この位置が基準位置となる。ただし、これに限定されず、例えば、空調機制御装置４０の位置を基準位置としてもよい。なお、図１においては、位置（Ｘ１，Ｙ１，Ｚ１）を現在位置と記載し、位置（Ｘ２，Ｙ２，Ｚ２）を存在位置と記載している。
【００１２】
図２は、図１に示す空調制御装置を含む空調制御システムの詳細な構成を示すブロック図である。
【００１３】
ＧＰＳ衛星１０は、携帯端末２０の現在位置を特定するために電波を送信するＧＰＳ信号送信部１１を備える。ＧＰＳ信号送信部１１は、ＧＰＳ衛星１０の飛行位置情報等のデータを携帯端末２０に送信する。なお、図示していないが、位置を特定するためには異なる位置の複数のＧＰＳ衛星を要するため、ＧＰＳ衛星１０は複数存在する。
【００１４】
携帯端末２０は、ＧＰＳ信号受信部２１と、現在位置解析部２２と、制御部２３と、現在位置記憶部２４と、現在位置送信部２５と、を備える。
【００１５】
ＧＰＳ信号受信部２１は、ＧＰＳ信号送信部１１からの現在位置を特定するための信号を受信して、現在位置解析部２２に信号を送信する。
【００１６】
現在位置解析部２２は、ＧＰＳ信号受信部２１が受信したＧＰＳ衛星１０（複数のＧＰＳ衛星）からの複数の信号の伝播遅延時間からＧＰＳ衛星１０と携帯端末２０の距離を推定し、推定した距離とＧＰＳ衛星１０（複数のＧＰＳ衛星）の飛行位置情報から、携帯端末２０の位置（Ｘ１，Ｙ１，Ｚ１）を、球面の連立方程式を用いて解析する。解析の完了後、現在位置解析部２２は、制御部２３に解析が完了した旨を通知し、解析した携帯端末２０の位置（Ｘ１，Ｙ１，Ｚ１）を現在位置記憶部２４に記憶させる。
【００１７】
制御部２３は、現在位置記憶部２４が記憶している携帯端末２０の現在位置情報のアドレスを現在位置送信部２５に通知させ、携帯端末２０の現在位置情報を空調機制御装置４０に送信するよう現在位置送信部２５に指令を行う。
【００１８】
現在位置記憶部２４は、上述のように、携帯端末２０の位置情報を記憶する。
【００１９】
現在位置送信部２５は、通信回路網３０を介して、空調機制御装置４０に携帯端末２０の現在位置情報を送信する。
【００２０】
通信回路網３０は、携帯端末２０と空調機制御装置４０の通信を実現可能な通信回路網であればよく、特定のものに限定されない。携帯端末２０と空調機制御装置４０の通信は、例えば、３Ｇ回線等を利用して、インターネット接続により実現すればよい。また、Ｗｉｆｉ（登録商標）等を用いてもよい。
【００２１】
空調機制御装置４０は、現在位置受信部４１と、制御部４２と、距離算出部４３と、空調機存在位置記憶部４４と、空調機制御内容記憶部４５と、空調機制御送信部４６と、を備える。
【００２２】
現在位置受信部４１は、携帯端末２０から位置情報を受信すると、制御部４２に受信完了通知を行い、距離算出部４３に設けられた記憶領域（図示しない）に携帯端末２０の現在位置情報を記憶させる。なお、現在位置受信部４１は、特定の構成に限定されず、空調機制御装置４０と通信回路網３０の接続は、有線により行ってもよいし、無線により行ってもよい。
【００２３】
制御部４２は、現在位置受信部４１からの受信完了通知を受信すると、受信した携帯端末２０の位置（Ｘ１，Ｙ１，Ｚ１）と、空調機存在位置記憶部４４が記憶している空調機５０の位置（Ｘ２，Ｙ２，Ｚ２）と、を用いて両者の距離を算出するように距離算出部４３に指令を行う。また、算出された距離と、空調機制御内容記憶部４５に記憶された処理内容と、を参照して空調機５０への指令信号を空調機制御送信部４６に送信する。
【００２４】
距離算出部４３は、携帯端末２０の位置（Ｘ１，Ｙ１，Ｚ１）と空調機５０の位置（Ｘ２，Ｙ２，Ｚ２）から携帯端末２０と空調機５０の距離を算出し、制御部４２に算出結果を送信する。
【００２５】
空調機存在位置記憶部４４は、空調機５０の位置（Ｘ２，Ｙ２，Ｚ２）を記憶する。なお、携帯端末２０の位置（Ｘ１，Ｙ１，Ｚ１）と空調機５０の位置（Ｘ２，Ｙ２，Ｚ２）は、同一形式（フォーマット）により記憶されているとよい。なお、位置（Ｘ２，Ｙ２，Ｚ２）は、例えば、空調機制御装置４０と空調機５０の設置時に、リモコン６０を操作することによって空調機５０を介して記憶させることが好ましい。
【００２６】
なお、携帯端末２０の位置（Ｘ１，Ｙ１，Ｚ１）の更新は、空調制御システムを構成する機器に設けられたプロセッサやメモリに過度の負担を与えない程度の頻度（例えば、１秒間隔）で行えばよい。空調機制御送信部４６に指令を行うタイミングについても同様である。
【００２７】
空調機制御内容記憶部４５は、制御部４２が行う処理内容を、例えば表として記憶している。
【００２８】
空調機制御送信部４６は、空調機制御装置４０からの指令信号等を空調機制御受信部５１に送信する。
【００２９】
空調機５０は、空調機制御受信部５１と、空調機制御部５２と、赤外線受信部５３と、を備える。
【００３０】
空調機制御受信部５１は、空調機制御送信部４６から送信された指令信号等を受信する。なお、空調機制御送信部４６及び空調機制御受信部５１は、特定の構成に限定されず、空調機制御送信部４６と空調機制御受信部５１の接続は、有線により行ってもよいし、無線により行ってもよい。
【００３１】
空調機制御部５２は、空調機制御受信部５１から受信した指令信号等に基づいて空調機５０の冷暖房運転を制御する。赤外線受信部５３は、後述の赤外線送信部６２からの信号を受信して空調機制御部５２に送信する。
【００３２】
リモコン６０は、操作部６１と、赤外線送信部６２と、を備える。操作部６１は、利用者が、空調機５０の温度及び風量等を設定することが可能な構成（例えば、操作ボタン等）を有し、赤外線送信部６２に送信する。赤外線送信部６２は、操作部６１からの信号を受信し、空調機５０が備える赤外線受信部５３に信号を送信する。
【００３３】
なお、リモコン６０としては、例えば赤外線通信のワイヤレスリモコンを用いればよいが、特定の構成に限定されない。リモコン６０は、無線通信を行うワイヤレスリモコンであってもよいし、空調機５０と有線接続されていてもよい。または、リモコン６０による操作を空調機５０に備えられたスイッチ（応急運転スイッチ）により代替してもよい。
【００３４】
ここで、上記の構成を有する空調制御システムの動作例について、表１及び図３を参照して説明する。表１は、空調機制御内容記憶部４５に記憶されている処理内容の一例を示す。
【００３５】
【表１】
2014173818.tif 000003
【００３６】
制御部４２は、距離算出部４３の算出結果と表１の処理内容から、処理内容を決定する。すなわち、位置（Ｘ１，Ｙ１，Ｚ１）と位置（Ｘ２，Ｙ２，Ｚ２）の距離がしきい値（ここでは２００ｍ）を越えている場合（例えば、３００ｍの場合）には、制御部４２は、空調機５０に対して指令を行わず、空調機５０はオフ状態を維持する。
【００３７】
位置（Ｘ１，Ｙ１，Ｚ１）と位置（Ｘ２，Ｙ２，Ｚ２）の距離が所定の距離（ここでは２００ｍ）以下である場合（例えば、１５０ｍの場合）には、制御部４２は、空調機制御送信部４６と空調機制御受信部５１を介して、空調機制御部５２に対して制御信号を送信する。空調機制御部５２は、空調機制御受信部５１から受信した制御信号に従って空調機５０の制御を行う。すなわち、オフしている空調機５０をオンして運転を開始する。
【００３８】
制御部４２は、上記のように制御信号を受信した直後から、携帯端末２０が長時間停止しているか否かの判定を行う。例えば、携帯端末２０が１分間に５ｍ以上接近していない場合（位置（Ｘ１，Ｙ１，Ｚ１）と位置（Ｘ２，Ｙ２，Ｚ２）の距離の狭まりが１分間に５ｍ未満である場合）には、携帯端末２０の利用者が接近していないと判断し、空調機５０をオフする。すなわち、オン区間内であっても単位時間あたりの距離の減少量がしきい値未満である場合には、利用者が接近していないものと判断し、制御対象機器である空調機５０をオフする。しかしながら、このように空調機５０をオフした後も、制御部４２が距離算出部４３の算出結果を参照する頻度はオン時と同様に維持し、携帯端末２０の位置を詳細に把握し続ける。そして、携帯端末２０が１分間に５ｍ以上接近する（位置（Ｘ１，Ｙ１，Ｚ１）と位置（Ｘ２，Ｙ２，Ｚ２）の距離の狭まりが１分間に５ｍ以上である）と、携帯端末２０の利用者が接近していると判断し、空調機５０を再度オンする。すなわち、オン区間内において単位時間あたりの距離の減少量がしきい値以上である場合には、利用者が接近しているものと判断し、制御対象機器である空調機５０をオンする。なお、位置（Ｘ１，Ｙ１，Ｚ１）と位置（Ｘ２，Ｙ２，Ｚ２）の距離がしきい値（ここでは２００ｍ）を再び越えた場合には、空調機５０をオフする。なお、制御部４２が、携帯端末２０が長時間停止しているか否かの判定を行う際には、距離算出部４３の算出結果を参照する頻度を上げてもよい。
【００３９】
なお、上記の空調制御システムの動作例において、空調機の運転時の設定は、前回運転時の履歴を参照してもよいし、リモコンによって利用者が予め設定したものを参照してもよい。例えば、前回の運転が冷房運転であれば、オン時には冷房運転を行えばよく、前回の運転が暖房運転であれば、オン時には暖房運転を行えばよい。このような動作の履歴は、空調機制御部５２に設けられた記憶領域（図示しない）に記憶されていればよい。
【００４０】
図３は、上記の空調制御システムの動作例における時刻（横軸）と距離（縦軸）の関係を示す図である。
【００４１】
オフ区間の携帯端末２０が位置（Ｘ２，Ｙ２，Ｚ２）に近づくと、点Ｂにてオン区間に侵入し、空調機５０は自動でオンする（点Ａ〜点Ｃ）。
【００４２】
そして、携帯端末２０は位置（Ｘ２，Ｙ２，Ｚ２）から遠のき、点Ｄにてオフ区間に出てしまうため、空調機５０は自動でオフする（点Ｃ〜点Ｅ）。
【００４３】
オフ区間に出た携帯端末２０は再び位置（Ｘ２，Ｙ２，Ｚ２）に近づき、点Ｆにてオン区間に再度侵入し、空調機５０は自動でオンする（点Ｅ〜点Ｇ）。
【００４４】
その後、携帯端末２０は、オン区間内のある地点にて停止する（点Ｇ〜点Ｈ）。すると、点Ｇから点Ｈまでは単位時間あたりの距離の減少量が小さいため、空調機制御装置４０の制御部４２は、携帯端末２０が位置（Ｘ２，Ｙ２，Ｚ２）に接近していないと判断し、空調機５０は自動でオフする。そして、点Ｈからは携帯端末２０の単位時間あたりの距離の減少量が大きくなるため、空調機５０は再び自動でオンする。
【００４５】
以上説明したように、本実施の形態の空調機制御装置４０は、携帯端末２０が接近途中で停止した場合または所定の区間外へと遠ざかった場合には、空調機５０を停止する制御を行う。
【００４６】
なお、上記の空調制御システムの利用者が複数人である場合には、携帯端末２０の利用者とは別の利用者が空調エリア内に存在する場合には、リモコン６０による操作を優先する構成とすればよい。また、リモコン６０によって、上記の空調制御システムを停止させて空調機５０を制御するように設定してもよい。
【００４７】
また、上記の空調制御システムの利用者が複数人であるか否か、すなわち、別の利用者が空調エリア内に存在するか否かを検知するためには、空調機５０（室内機）に人感センサを搭載させ、携帯端末２０が空調エリア外に存在し、且つ該人感センサにて人の存在を検知すると、上記の空調制御システムの利用者が複数人であると判断すればよい。
【００４８】
次に、上記説明した空調制御システムの動作について、図４を参照して説明する。図４は、本実施の形態に係る空調機５０の動作を示す状態遷移図である。
【００４９】
空調エリア内において、携帯端末２０の利用者がリモコン６０によって、オフしている空調機５０をオンする（状態Ｓ２〜状態Ｓ１）。
【００５０】
空調機５０がオンしている空調エリアから、利用者が携帯端末２０を所持して空調機５０をオフすることなく空調エリア外に移動し、位置（Ｘ１，Ｙ１，Ｚ１）と位置（Ｘ２，Ｙ２，Ｚ２）の距離がしきい値を越えると、空調機制御装置４０がこれを検知し、空調機５０は自動でオフする（状態Ｓ１〜状態Ｓ２）。
【００５１】
空調機５０がオフしているとき（状態Ｓ２）、携帯端末２０を所持している利用者が位置（Ｘ２，Ｙ２，Ｚ２）に近づき、位置（Ｘ１，Ｙ１，Ｚ１）と位置（Ｘ２，Ｙ２，Ｚ２）の距離がしきい値以下になると、空調機制御装置４０がこれを検知し、空調機５０は自動でオンする（状態Ｓ２〜状態Ｓ３）。
【００５２】
空調機５０が自動でオンした後（状態Ｓ３）に携帯端末２０の利用者が再度空調エリア外に移動し、位置（Ｘ１，Ｙ１，Ｚ１）と位置（Ｘ２，Ｙ２，Ｚ２）の距離がしきい値を越えると、空調機制御装置４０がこれを検知し、空調機５０を再び自動でオフする（状態Ｓ３〜状態Ｓ２）。
【００５３】
または、位置（Ｘ１，Ｙ１，Ｚ１）と位置（Ｘ２，Ｙ２，Ｚ２）の距離がしきい値以下であるが、その後距離が狭まらない場合（単位時間あたりの距離の減少量が小さい場合）にも同様である。
【００５４】
なお、複数の利用者が存在する場合には、空調機５０はリモコン６０からの指令を優先し、自動運転制御は行わず、状態Ｓ１または状態Ｓ２とする。
【００５５】
以上説明したように、本実施の形態の空調機制御装置によれば、利用者の位置と接近状況に応じて空調機のオン／オフを自動で制御することができる。そのため、空調機のオン／オフを自動で切り替える空調機制御装置による快適性を維持しつつ、空調機を不必要にオンし続けて消費電力を増加させてしまうことを防止することができる。すなわち、消費電力を従来よりも抑えつつ、利用者と空調機等との距離に応じて空調機のオン／オフを自動で切り替えて消し忘れを防止し、または空調エリアに侵入する前にオンすることができる。
【００５６】
なお、本実施の形態では空調機制御装置について説明したが、本発明はこれに限定されない。すなわち、本実施の形態にて説明した空調機制御装置の制御方法をコンピュータに実行させるための制御プログラム等を含み、また、該制御プログラムが記憶された携帯端末も本発明に含まれる。
【００５７】
実施の形態２．
図５は、本実施の形態に係る空調機制御装置４０ａを示す図である。
【００５８】
本実施の形態の空調機制御装置４０ａは、実施の形態１の現在位置受信部４１に代えて現在位置受信部４１ａを備え、実施の形態１の空調機制御内容記憶部４５に代えて行動パターン記憶部４５ａを備える。行動パターン記憶部４５ａは、利用者の行動パターンを学習して行動パターン記憶部４５ａに記憶し、学習結果をもとに空調機５０を制御する。表２は、行動パターン記憶部４５ａが記憶する行動パターンの例を示す。
【００５９】
【表２】
2014173818.tif 000004
【００６０】
図６は、携帯端末２０の利用者の行動パターンの例を示すイメージ図である。
【００６１】
図６（Ａ）では、利用者は、外出先から帰宅する際電車を利用しており、乗車時にはオン区間内の点Ｐにおいて家に最接近（距離ｘ１）する。しかしながら、利用者は点Ｑの最寄り駅にて降車して帰宅するため、点Ｐ近傍において空調機が自動でオンすると、空調機５０は不必要に長い時間オンすることになる。また、最寄り駅である点Ｑがオン区間外（オフ区間）である場合には、点Ｐ近傍で空調機を自動でオンさせても、点Ｑでは再びオフさせねばならず、不必要なオン／オフを行ってしまう。
【００６２】
図６（Ｂ）では、利用者は、点Ｕの会社から帰宅する際に点Ｓの保育園を経由しており、家に最接近（距離ｘ２）した後に再び遠ざかる。そのため、図６（Ａ）と同様に、家に接近した際に空調機が自動でオンすると、空調機５０は不必要に長い時間オンすることになる。または、保育園が存在する点Ｓがオン区間外（オフ区間）である場合には、家に接近した際に空調機を自動でオンさせても、点Ｓでは再びオフさせねばならず、不必要なオン／オフを行ってしまう。
【００６３】
そのため、本実施の形態では、図６（Ａ），（Ｂ）に示すような行動パターンを空調機制御装置４０ａの行動パターン記憶部４５ａに記憶しておき、行動パターン内の接近であれば空調機をオンさせないように制御する。
【００６４】
図７は、上記の空調制御システムの動作例における時刻と距離の関係を示す図である。図７では、携帯端末２０が囲まれた行動パターン枠内に存在しても空調機５０のオン／オフを切り替えず、オフ状態を維持するため、消費電力が抑えられる。
【００６５】
なお、本実施の形態における行動パターンは、図７に示すように、時刻と距離の平面において囲まれた領域とすればよい。ただし、これに限定されず、例えば、時刻と距離の変化量の平面において囲まれた領域で示されていてもよい。
【００６６】
以上説明したように、本実施の形態の空調制御装置を含む空調制御システムによれば、利用者の位置と接近状況に応じて空調のオン／オフを自動で制御することができる。そのため、空調機のオン／オフを自動で切り替える空調機制御装置による快適性を維持しつつ、空調機を不必要にオンし続けて消費電力を増加させてしまうことを防止することができる。
【００６７】
なお、本実施の形態にて説明した構成と実施の形態１にて説明した構成を組み合わせてもよい。すなわち、本発明の空調制御装置は、携帯端末の現在位置を取得する現在位置受信部と、空調機の存在位置を記憶する空調機存在位置記憶部と、前記携帯端末の現在位置と前記空調機の存在位置から距離を算出する距離算出部と、前記距離算出部が算出した距離及び該距離の減少量に対応した前記空調機の処理内容が記憶されている空調機制御内容記憶部と、前記携帯端末の行動パターンを学習して記憶する行動パターン記憶部と、前記空調機制御内容記憶部と前記行動パターン記憶部を参照して前記空調機に制御信号を送信する制御部と、を備え、前記行動パターンは時刻と距離の平面において囲まれた領域であり、前記制御部は、前記携帯端末が前記行動パターン内に存在する場合には前記空調機をオフさせ続け、前記携帯端末が前記行動パターン外となった場合に、前記携帯端末と前記空調機の前記距離がしきい値以下になると前記空調機をオンさせ、前記距離の減少量を把握し、前記距離の減少量がしきい値未満である場合には、前記携帯端末は接近していないと判断して前記空調機をオフさせる構成であってもよい。
【００６８】
なお、本実施の形態においても空調機制御装置についてのみ説明したが、本発明はこれに限定されない。すなわち、本実施の形態にて説明した空調機制御装置の制御方法をコンピュータに実行させるための制御プログラム等を含み、また、該制御プログラムが記憶された携帯端末も本発明に含まれる。
【産業上の利用可能性】
【００６９】
以上のように、本発明は、携帯端末等により利用者の位置及び接近状況を認識して空調のオン／オフを自動で制御する場合に有用である。
【符号の説明】
【００７０】
１０  ＧＰＳ衛星、１１  ＧＰＳ信号送信部、２０  携帯端末、２１  ＧＰＳ信号受信部、２２  現在位置解析部、２３  制御部、２４  現在位置記憶部、２５  現在位置送信部、３０  通信回路網、４０  空調機制御装置、４１  現在位置受信部、４２  制御部、４３  距離算出部、４４  空調機存在位置記憶部、４５  空調機制御内容記憶部、４６  空調機制御送信部、５０  空調機、５１  空調機制御受信部、５２  空調機制御部、５３  赤外線受信部、６０  リモコン、６１  操作部、６２  赤外線送信部、Ｓ１〜Ｓ３  状態。
【図１】
2014173818.tif 000005
【図２】
2014173818.tif 000006
【図３】
2014173818.tif 000007
【図４】
2014173818.tif 000008
【図５】
2014173818.tif 000009
【図６】
2014173818.tif 000010
【図７】
2014173818.tif 000011